(57)【要約】      （修正有）【課題】頭部が第二信号線の影響を受けず、コネクタの突出箇所に依る耳部の不快感を起こさないヘッドホンカバー構造を提供する。【解決手段】イヤーマフ１のストラップ１１を備えた両側箇所の連結体１２でイヤーカップ１３が結合されている。イヤーマフ外部では、包装カバー体２の被覆層２１及び外カバー２２が被覆され、外カバー上の穿孔２０周囲はステッチのかがり縫いで、イヤホンは穿孔位置にコネクタ３１を備え、コネクタ上には外カバー内側箇所に結合する翼片３１１が設置される。コネクタの一端には包装カバー体内の第一信号線３２が伸び、更に第一信号線の別端箇所には、イヤーカップ内に位置する一対のスピーカー３３を連接する。コネクタは外カバー後方側面箇所に位置し、ユーザーが穿孔箇所で引出し、かがり縫い上でコネクタが戻らないように押さえ、メディアプレーヤーからの第二信号線をコネクタ内に差し込んで使用する。【選択図】図２
0003185970.tif 000002
【実用新案登録請求の範囲】
【請求項１】
イヤーマフ、包装カバー体及びイヤホンを含むヘッドホンカバー構造において、
ストラップを備えた両側箇所に連結体を設置し、連結体上にはすべて納置空間を備えたイヤーカップを結合するイヤーマフと、
イヤーマフ外部を被覆する被覆層及び外カバーを備え、並びに外カバー上には少なくとも一個の穿孔を設置し、且つ穿孔周囲はステッチのかがり縫いを備える該包装カバー体と、
包装カバー体の外カバー位置に備えた穿孔箇所をかがり縫いで押さえ、且つ収納もしくは開いて露出させるコネクタを形成し、且コネクタ上には外カバー内側箇所に結合する少なくとも一個の翼片を設置し、またコネクタ一端箇所には包装カバー体内部に第一信号線が伸び、且つ第一信号線のコネクタに相対する別端箇所にはイヤーカップの納置空間内でそれぞれ被覆定位する一対のスピーカーが連接するイヤホンを含むことを特徴とするヘッドホンカバー構造。
【請求項２】
前記イヤーマフのストラップ上には、一個もしくは一個以上の相互に疊置するベルト体を備え、更にベルト体の両側箇所に連結体の軸部が枢設され、且つ二軸部の下方箇所に枢設した掛合片上にはイヤーカップを結合することを特徴とする請求項１記載のヘッドホンカバー構造。
【請求項３】
前記ストラップのベルト体は、一側箇所に、ガイド部を設置し、且つガイド部に相対する別側箇所には連結体を差し込み設置するための内部が可動枢設する通孔を設置することを特徴とする請求項２記載のヘッドホンカバー構造。
【請求項４】
前記包装カバー体の被覆層は、両端箇所にステッチ方式で、イヤーカップ上に被覆するイヤーマフ外部の外カバーを一個もしくは一個以上結合することを特徴とする請求項１記載のヘッドホンカバー構造。
【請求項５】
前記イヤホンは、ユーザーが身につけた後のコネクタが外カバー及び耳部後方側面箇所に位置し、コネクタ内部には後方もしくは下方向きに設置した差込孔を設置することを特徴とする請求項１記載のヘッドホンカバー構造。
【請求項６】
前記イヤホンのコネクタの第一信号線に相対する別側箇所には、第二信号線を設置し、更に第二信号線の両端箇所には差込端子のプラグを備え、且つ第二信号線一端のプラグの差込端子とコネクタの差込孔は着脱形式で電気連接することを特徴とする請求項５記載のヘッドホンカバー構造。
【請求項７】
前記イヤホンのコネクタの外向きに伸びて相対する二翼片は、ステッチもしくは掛合定位方式で外カバー後側の穿孔内側箇所に結合して一体にすることを特徴とする請求項１記載のヘッドホンカバー構造。
【請求項８】
前記イヤホンの第一信号線は、コネクタ箇所から二股信号線が伸び、且つ二股信号線のコネクタに相対する別端箇所では、それぞれ少なくとも一個のアダプタを設置し、そのうち一アダプタと延長信号線一端は着脱形式で電気連接し、延長信号線の両端はイヤーマフのストラップと包装カバー体の被覆層間から伸び出し、且つ延長信号線の別端箇所及び二股信号線の別一アダプタは、それぞれがスピーカーと着脱形式で電気連接することを特徴とする請求項１記載のヘッドホンカバー構造。
【請求項９】
前記イヤホンのスピーカー外部は、被覆しステッチ方式で結合於包装カバー体の外カバー内側箇所で結合して一体の内被覆層にすることを特徴とする請求項１記載のヘッドホンカバー構造。
【請求項１０】
前記内被覆層の中央箇所はイヤホンのスピーカー外部を被覆する第一延長部を備え、第一延長部を反折した後、ステッチ方式で内被覆層上に結合し、且つ内被覆層両側箇所は外向きに、ステッチ方式で外カバー内側箇所に結合した第二延長部を成形することを特徴とする請求項９記載のヘッドホンカバー構造。
【考案の詳細な説明】
【技術分野】
【０００１】
本考案は、ヘッドホンカバー構造に関するもので、特にイヤーマフ外部に包装カバー体の被覆層及び外カバーを覆い、更に外カバー後方側面箇所にイヤホンのコネクタを引き出すための穿孔があり、その周囲ステッチにかがり縫いを施し、且つコネクタはかがり縫い上で押さええて下がらないように保ち、ユーザーが身につけた時、頭部に影響を与えたり、不快感を持ったりしないようにして製品の競争力を高めるものである。
【背景技術】
【０００２】
一般に防寒で使用する保温用品には例として保温用の衣類、マフラー、手袋等があり、それは主に身体に身につけて覆うものであり、このように防風及び保温の目的を達成する。しかしながら、仮に冬もしくは低体温の時、寒冷な高山もしくは降雪地において、上述の防寒用品では耳の保護はできないため、耳が凍傷になったり、寒さで痛みを感じたりする。そのため、現在、簡単に手に入るように、イヤーマフをつけて防寒する。
【０００３】
更に、イヤーマフは、型式と種類が次々と新しいものが出ており、イヤーマフ構造も改良されている。公知のイヤーマフ構造は二伸縮ヘッドベルト両端によって、それぞれ円形のイヤーマフに結合し、ヘッドベルトの長さを調整して伸ばしたり、短くしたりした後、イヤーマフを耳上に被せて使用する。しかし、公知のイヤーマフ構造はほとんどが固定で、折り畳んで収納できないデザインであり、この種は一定の空間を占め、場合によっては力をかけてヘッドベルト及びイヤーマフを押さえられると、変形もしくは構造が壊れてしまう。更にヘッドベルト及びイヤーマフも別々にモジュール化して大量生産するのが困難で、製造全体は十分に煩雑で困難であり、コストを下げることができない。
【０００４】
この他、現在、市場で販売されているイヤホンは、イヤーマフ構造内部に結合されている。その構造のため頭戴式イヤホンカバーが構成され、方法として、イヤホンのうちの一レシーバー及び連接線は任意の一イヤーマフによって、イヤーマフと編織物間に形成した空間内に挿入し、レシーバー及び連接線がヘッドベルトを通過した後、次に別一イヤーマフ内部に入れる。更にイヤホンの二レシーバーの各々はイヤーマフ内部に定位し、連接線の別端は外部へ出る。
【先行技術文献】
【特許文献】
【０００５】
【特許文献１】特開２０１３−４６１８７号公報
【考案の概要】
【考案が解決しようとする課題】
【０００６】
解決しようとする問題点は、頭戴式イヤホンカバーのヘッドベルト及びイヤーマフは、固定で取り外しができない構造であり、且つ該イヤホンは一定の体積を占めるため、レシーバー及び連接線をヘッドベルト及びイヤーマフと編織物の間に入れるのは不利であり、更には頭戴式イヤホンカバー全体の体積を増やし、使組立が複雑になって時間とコストが上がる点である。
【課題を解決するための手段】
【０００７】
本考案は、イヤーマフのストラップを備えた両側箇所の連結体でイヤーカップを結合する。またイヤーマフ外部では、包装カバー体の被覆層及び外カバーを被覆し、且つ外カバー上の穿孔周囲はステッチのかがり縫いで、イヤホンは穿孔の位置にコネクタを備え、更にコネクタ上には外カバー内側箇所に結合する翼片を設置する。更にコネクタ一端の箇所は包装カバー体内の第一信号線が伸び、更に第一信号線の別端箇所には、イヤーカップ内に位置する一対のスピーカーを連接する。この種のイヤホンのコネクタは、ユーザーが穿孔箇所で引出し、かがり縫い上でコネクタが戻らないように押さえ、第二信号線をコネクタ内に差し込み、且つコネクタが外カバー後方側面箇所に位置することを最も主要な特徴とする。
【考案の効果】
【０００８】
本考案のヘッドホンカバー構造は、ユーザーが身に付ける時、頭部が第二信号線の影響を受けず、コネクタの突出箇所に依る耳部の不快感を起こさずに、製品の競争力を高めるという利点がある。
【図面の簡単な説明】
【０００９】
【図１】本考案の立体外観図である。
【図２】本考案の立体分解図である。
【図３】本考案のイヤーマフ折閉じ前の側面断面図である。
【図４】本考案のイヤーマフ折閉じ後の立体外観図である。
【図５】本考案の組立前の立体分解図である。
【図６】本考案の組立時の立体外観図である。
【図７】本考案の組立後の局部側面断面図である。
【図８】本考案の実施例の使用状態図である。
【図９】本考案の別の実施例の使用状態図である。
【図１０】本考案の更に別の実施例の立体分解図である。
【考案を実施するための形態】
【００１０】
本考案は、公知イヤーマフ構造の問題と欠点を鑑み、多方面の評価と考慮したものを収集し、当領域に従事した長年の経験と不断の試作によってこの種のヘッドホンカバー構造の新型を生み出した。
【００１１】
イヤーマフのストラップ両側箇所の連結体上にはイヤーカップを結合し、イヤーマフ外部は包装カバー体の被覆層及び外カバーで被覆し、且つ外カバー上の穿孔周囲はステッチのかがり縫いをする。イヤホンは穿孔箇所にコネクタを備え、コネクタ上は外カバー内側箇所に結合した翼片を設置する。更にコネクタ一端では包装カバー体内で第一信号線が伸び、更に第一信号線別端ではイヤーカップ内で一対のスピーカーが連接する。この種のイヤホンのコネクタをユーザーが穿孔箇所から引出し、かがり縫い上で押さえてコネクタを中に引き込まれないように保ち、第二信号線をコネクタ内で差し込んで使用距離を伸ばす。更にコネクタは外カバー後方側面箇所にあるので、ユーザーが身に付いけた時、頭部は第二信号線の影響を受けず、コネクタが突出して耳部に不快感がなく、更に製品の競争力を備えることを本考案の主な目的とする。
【００１２】
包装カバー体の被覆層は、イヤーマフのストラップを被覆し、更に連結体上に覆って定位する。次にイヤホンの第一信号線を延長信号線一端でストラップと被覆層間に形成した空間内に差し込み、延長信号線一端をストラップに沿って被覆層から出した時、延長信号線両端のプラグを、それぞれ被覆層両端の開口箇所から引出し、イヤホンのコネクタは二翼片で外カバー後側上方もしくは下方の穿孔内側箇所に結合して一体にする。コネクタを穿孔内側箇所のかがり縫い上で押さえ、且つ該コネクタはイヤーマフのストラップ方向に垂直もしくは平行で、コネクタを収納し、外カバー外部から露出せず、外観の美観を高めることを本考案の次の目的とする。
【００１３】
イヤホンのスピーカーは、内被覆層から外カバー内側箇所で結合して緩んだり、外れたりしないようにする。更にそのうちの一スピーカーの連接信号線は、ソケットで外カバーの穿孔箇所から出し、且つ別の一スピーカーのソケットは二股信号線アダプタのプラグ内に差し込んだ後、次に外カバーをイヤーマフのイヤーカップ外部で覆い、アダプタのソケット及びスピーカーのソケットは、延長信号線両端のプラグと着脱形式で電気連接する。この種の被覆層と外カバーは加工方式を分け、第一信号線を穿出イヤーマフのストラップと被覆層の間から出しやすくして、コネクタ及びスピーカーと、それぞれ着脱形式で電気連接し、更にイヤホン配線を簡単にして、組立をスピーディに行い、コストを下げる効果を達成することを本考案の別の目的とする
【００１４】
先ずイヤホンのコネクタ、第一信号線及びスピーカーを着脱形式で電気連接し、ステッチ方式で外カバー上に結合した後、イヤーマフを外カバー上に置いた後、被覆層をイヤーマフ外部に覆い、外カバーとステッチ方式で結合して一体にし、イヤホンの第一信号線を包装カバー体内部に差し込み、第一信号線のコネクタに相対する別端に連接する一対のスピーカーは、それぞれイヤーカップ内部に位置し、外カバーで被覆して定位結合し、一体にすることを本考案の更に別の目的とする。
【実施例】
【００１５】
上述の目的及び効果を達成するため、本考案が採用する技術手段及びその構造を、実施例を挙げて以下に詳細に説明する。
【００１６】
図１、２、３、４に示すのは、それぞれ本考案の立体外観図、立体分解図、イヤーマフ折閉じ前の側面断面図及び折閉じ後の立体外観図である。図に示すとおり、本考案はイヤーマフ１、包装カバー体２及びイヤホン３を含む。故に、本考案の主な部品及び特徴を以下に説明する。そのうち、
【００１７】
該イヤーマフ１は、ストラップ１１、連結体１２及びイヤーカップ１３を含み、ストラップ１１上には一個もしくは一個以上の相互に重なって伸縮移動するベルト体１１１を備え、そのベルト体１１１一側箇所にはガイド部１１２を設置し、且つガイド部１１２に相対する別側箇所には通孔１１３を設置する。しかし、実際に応用する時には、ベルト体１１１両側箇所に、それぞれ通孔１１３を設置してもよく、連結体１２上の通孔１１３を設置した箇所には可動枢設の軸部１２１を成形し、軸部１２１下方箇所にはすべて掛合片１２２を枢設し、且つ掛合片１２２の軸部１２１に相対する別側箇所は掛合方式でイヤーカップ１３二個を結合し、更にイヤーカップ１３内部には納置空間１３０を形成する。
【００１８】
該包装カバー体２は、イヤーマフ１のストラップ１１及び連結体１２を覆う被覆層２１を備え、被覆層２１両端箇所はステッチ方式でそれぞれイヤーカップ１３外部を覆うための外カバー２２を一個もしくは一個以上結合し、その外カバー２２内部は嵌合空間２２０を形成し、且つ外カバー２２上には少なくとも一個穿孔２０を貫設し、更に穿孔２０周囲ステッチは、かがり縫い２０１をして辺を処理する。包装カバー体２の被覆層２１は布地（例としてコットン、樹脂繊維、アクリル繊維、弾性繊維等）で作り、弾力があり長短が伸び縮みするものを使用する。更に該外カバー２２の良好な実施例は、布地であり、保温機能を備えているが、実際に応用時する時には、被覆層２１及び外カバー２２はそれぞれ革、合成革、?膠、プラスチックもしくはその他軟質材で製造してもよい。
【００１９】
該イヤホン３は、コネクタ３１を備え、そのコネクタ３１一端からは第一信号線３２が伸び、コネクタ３１内部には差込孔３１０を設置する。且つコネクタ３１上には外向きに少なくとも一個もしくは相対する翼片３１１が伸びて設置される。また第一信号線３２はコネクタ３１箇所から二股信号線３２１が伸び、且つ二股信号線３２１のコネクタ３１に相対する別端には、ぞれぞれ少なくとも一個のソケット３２２１を備えたアダプタ３２２が設置される。また、そのうちの一アダプタ３２２のソケット３２２１と延長信号線３２３一端に備えたプラグ３２３１は着脱式で電気連接する。また延長信号線３２３の別端箇所に備えたプラグ３２３１及び二股信号線３２１の別の一アダプタ３２２に備えたプラグ３２２２は、それぞれスピーカー３３箇所からのびた連接信号線３３１のソケット３３１１と着脱形式で電気連接する。更にスピーカー３３外部にはすべて逆Ｔ形状の内被覆層３３２が覆い、内被覆層３３２中央箇所はスピーカー３３外部を覆う第一延長部３３２１を備え、第一延長部３３２１は下向きに折り返した後ステッチ方式で内被覆層３３２上に結合し、且つ内被覆層３３２両側箇所は外向きに第二延長部３３２２を形成する。他に内被覆層３３２の良好な実施は、布で製造する。
【００２０】
図５、６、７、８、９は、それぞれ本考案の組立前の立体分解図、組立時の立体外観図、組立後の局部側面断面図、良好な実施例の使用状態図及び別の実施例の使用状態図である。図に示すとおり、本考案を組み立てる時、先ず包装カバー体２の被覆層２１をイヤーマフ１のストラップ１１及び連結体１２上に嵌合して覆って定位する。次にイヤホン３の第一信号線３２を、延長信号線３２３一端でストラップ１１と被覆層２１間に形成した空間内に挿入し、延長信号線３２３一端をストラップ１１に沿って被覆層２１に差し込んだ後、延長信号線３２３両端のプラグ３２３１を、それぞれ被覆層２１両端の開口箇所で引出す。イヤホン３のコネクタ３１は二翼片３１１からステッチ、掛合定位もしくはその他方式で外カバー２２後側上方もしくは下方の穿孔２０内側箇所で結合して一体にする。更にコネクタ３１を穿孔２０内側箇所のかがり縫い２０１上で押さえて定位し、且つ該イヤホン３のコネクタ３１はストラップ１１方向に垂直もしくは平行に置き、コネクタ３１を収納し、外カバー２２外部から露出せず、外観の美観を高める。
【００２１】
イヤホン３一対のスピーカー３３は、内被覆層３３２の第二延長部３３２２をステッチ方式で、外カバー２２内側箇所で結合して一体にする。それらによってスピーカー３３は緩んだり、外れたりしにくくなる。更に、そのうち一スピーカー３３の連接信号線３３１は、ソケット３３１１で内被覆層３３２の第一延長部３３２１及び外カバー２２の穿孔２０箇所に差し込み、且つ別の一スピーカー３３のソケット３３１１は二股信号線３２１アダプタ３２２のプラグ３２２２内に差し込んだ後、次に外カバー２２を、ステッチ方式でイヤーマフ１のイヤーカップ１３外部に被覆して定位し、同時にスピーカー３３を、それぞれイヤーマフ１のイヤーカップ１３納置空間１３０内に入れて定位し、アダプタ３２２のソケット３２２１及びスピーカー３３のソケット３３１１は、延長信号線３２３両端のプラグ３２３１と、着脱形式で電気連接する。この種の包装カバー体２の被覆層２１と外カバー２２は、加工方式を分け、イヤホン３の第一信号線３２をイヤーマフ１のストラップ１１と被覆層２１の間から出しやすくなり、コネクタ３１及びスピーカー３３と、それぞれ着脱形式で電気連接する。それらによって、イヤホン３組立にかかる時間とコストを大幅に下げ、イヤホン３の配線を簡単にして、組立をスピードアップし、コストを下げる効果がある。
【００２２】
イヤーマフ１のストラップ１１は、両側箇所の連結体１２でイヤーカップ１３と組み立てる時、先ずイヤホン３の第一信号線３２上の余った線をイヤーカップ１３と包装カバー体２の外カバー２２内部所形成の空間に押入れ、連結体１２の掛合片１２２を掛合方式でイヤーカップ１３に結合した後、イヤーマフ１のストラップ１１を連結体１２でイヤーカップ１３と組み立てて結合して一体にする。またイヤーマフ１を折り畳む時（図３、４参照）、先ずストラップ１１の二ベルト体１１１を引っ張って伸ばすか短くし、ストラップ１１両側箇所の連結体１２からイヤーカップ１３の回転角度を調整し、次に二イヤーカップ１３を相互に折り畳んで一つにする。そして全体構造体積を縮小し、小型化する。ユーザーはイヤーマフ１のイヤーカップ１３回転角度を調整しやすく、折り畳むことができ、且つ携帯、収納に便利である。
【００２３】
本考案のヘッドホンカバー構造は、電子装置４（例としてメディアプレイヤー、レシーバー等）上に応用し、更にイヤホン３のコネクタ３１の第一信号線３２に相対する別側箇所に、第二信号線３４を設置し、且つ第二信号線３４両端箇所には差込端子３４０を備えたプラグ３４１を設置し、第二信号線３４上には更にコントローラー３５を設置し、且つ該コントローラー３５は音量スイッチ、切換スイッチもしくはその他音量の大きさを調整するか、もしくは使用機能を切り替えるかのスイッチとする。
【００２４】
本考案を使用する時、先ずイヤホン３のコネクタ３１を包装カバー体２の穿孔２０内側箇所から引出し、コネクタ３１を穿孔２０外側箇所のかがり縫い２０１上を押さえて定位し、コネクタ３１を外カバー２２外部から露出したのを保ち、嵌合空間２２０内へ戻って隠れてしまわないようにして第二信号線３４一端のプラグ３４１の差込端子３４０をコネクタ３１の差込孔３１０内に差し込んで電気連接する。
【００２５】
ユーザーがイヤーマフ１のストラップ１１を頭部の最上部、前額もしくは後頭上に取り付けた時、ユーザーの頭の形に沿って簡単にイヤーマフ１の長さを伸縮させ、回転角度を調整し、装着方向の制限を受けないようにして、更にユーザー着装後のイヤホン３のコネクタ３１が外カバー２２及びユーザーの耳部後方側面箇所に位置し、コネクタ３１の差込孔３１０は後方もしくは下方向きに設置し、ユーザーの頭部が回転した時、第二信号線３４の影響を受けることがなく、またコネクタ３１の突出箇所のために耳部の不快感が起こることもない。更に第二信号線３４別端のプラグ３４１の差込端子３４０と電子装置４上の差込孔（図未提示）は着脱形式で電気連接する。即ち電子装置４から伝送された信号を受け取ってリスニング機能を行い，且つ第二信号線３４を通して、イヤホン３のコネクタ３１と共に使用距離を有効に延長し、第二信号線３４をコネクタ３１から抜き出しやすく、線の整理ができ、操作が簡単になるため、製品競争力も高まる。
【００２６】
図２、８、９、１０に示すのは、本考案の立体分解図、良好な実施例の使用状態図、別の一実施例の使用状態図及び更に別の実施例の立体分解図である。図を見てわかるように、そのうち該包装カバー体２の被覆層２１はイヤーマフ１のストラップ１１及び連結体１２に嵌合して被覆定位するが、実際に応用する時には、イヤホン３のコネクタ３１、第一信号線３２及びスピーカー３３を着脱形式で電気連接してもよく、またステッチ方式によって外カバー２２上で結合し、イヤーマフ１をイヤホン３の外カバー２２上で置き、更に被覆層２１をイヤーマフ１外部で覆い、外カバー２２とステッチ方式で結合して一体にする。イヤホン３の第一信号線３２を包装カバー体２内部に差し込むことに拠って、第一信号線３２のコネクタ３１に相対する別端箇所で連接した一対のスピーカー３３は、それぞれイヤーカップ１３の納置空間１３０内に位置し、包装カバー体２の外カバー２２によって被覆定位した後、結合して一体にする。
【００２７】
上述の詳細な説明は本考案の良好な実施可能な実施例について説明したに過ぎない。拠って本考案の請求範囲を制限するものではなく、本考案提示した技術精神下での変化と修飾は、すべて本考案の範囲に含まれるものとする。
【００２８】
上述のとおり、本考案の上述のヘッドホンカバー構造はその効果と目的を達成できるため、本考案は実用性に優れた創作であるため、実用新案申請の要件に符合する。
【符号の説明】
【００２９】
１        イヤーマフ
１１        ストラップ
１１１        ベルト体
１１２        ガイド部
１１３        通孔
１２        連結体
１２１        軸部
１２２        掛合片
１３        イヤーカップ
１３０        納置空間
２        包装カバー体
２０        穿孔
２０１        かがり縫い
２１        被覆層
２２        外カバー
２２０        嵌合空間
３        イヤホン
３１        コネクタ
３１０        差込孔
３１１        翼片
３２        第一信号線
３２１        二股信号線
３２２        アダプタ
３２２１        ソケット
３２２２        プラグ
３２３        延長信号線
３２３１        プラグ
３３        スピーカー
３３１        連接信号線
３３１１        ソケット
３３２        内被覆層
３３２１        第一延長部
３３２２        第二延長部
３４            第二信号線
３４０          差込端子
３４１          プラグ
３５            コントローラー
４            電子装置
【図１】
0003185970.tif 000003
【図２】
0003185970.tif 000004
【図３】
0003185970.tif 000005
【図４】
0003185970.tif 000006
【図５】
0003185970.tif 000007
【図６】
0003185970.tif 000008
【図７】
0003185970.tif 000009
【図８】
0003185970.tif 000010
【図９】
0003185970.tif 000011
【図１０】
0003185970.tif 000012